(57)【要約】【課題】移動手摺の走行速度を変化させても、スティックスリップの発生を阻止し得る乗客コンベアの移動手摺用清掃装置の提供。【解決手段】上記課題は、乗客コンベアの移動手摺２の表面に対向させて設けられる清掃布３と、乗客コンベアの移動手摺２の表面に対して上下動する押付体４とを、少なくとも備え、移動手摺２の走行時に押付体４を上昇させて清掃布３を移動手摺２の表面に押し付けることで、移動手摺２の表面の清掃を行う乗客コンベアの移動手摺用清掃装置１において、押付体４に、その押付体４の清掃布３への押し付け面における弾性を低下させる弾性低下手段９を施すことにより、達成できる。【選択図】図１
2007297162.tif 000002
【特許請求の範囲】
【請求項１】
乗客コンベアの移動手摺の表面に対向させて設けられる清掃布と、乗客コンベアの移動手摺の表面に対して上下動する押付体とを、少なくとも備え、前記移動手摺の走行時に前記押付体を上昇させて前記清掃布を前記移動手摺の表面に押し付けることで、前記移動手摺の表面の清掃を行う乗客コンベアの移動手摺用清掃装置において、
前記押付体に、その押付体の前記清掃布への押し付け面における弾性を低下させる弾性低下手段を施してなることを特徴とする乗客コンベアの移動手摺用清掃装置。
【請求項２】
前記弾性低下手段を、前記清掃布と前記押付体との間に設置されて、かつ、前記押付体よりも弾性が低い材質からなる薄板状とすることで構成してなることを特徴とする請求項１記載の乗客コンベアの移動手摺用清掃装置。
【請求項３】
前記弾性低下手段を、前記押付体の清掃布への押し付け面部分の素材密度を高くすることで構成してなることを特徴とする請求項１記載の乗客コンベアの移動手摺用清掃装置。
【請求項４】
前記弾性低下手段を、前記押付体を低反撥性素材から形成してその押付体の弾性を低くすることで構成してなることを特徴とする請求項１記載の乗客コンベアの移動手摺用清掃装置。
【発明の詳細な説明】
【技術分野】
【０００１】
本発明は、乗客コンベアの移動手摺用清掃装置に関するものである。
【背景技術】
【０００２】
従来の乗客コンベアの移動手摺用清掃装置としては、乗客コンベアの移動手摺の表面に対向させて設けられる清掃布と、乗客コンベアの移動手摺の表面に対して上下動する押付体とを備え、前記移動手摺の走行時に前記押付体を上昇させて前記清掃布を前記移動手摺の表面に押し付けることで、前記移動手摺の表面の清掃を行い、かつ、前記押付体を下降させることで、前記移動手摺の表面の清掃を休止するようにしたものが知られている（例えば、特許文献１参照）。そして、従来の乗客コンベアでは、移動手摺の走行速度を、５ｍ／ｍｉｎ〜４５ｍ／ｍｉｎの範囲で変化させることができるように構成されている。
【特許文献１】特開平６−２３４４９３号公報（段落番号００１２〜段落番号００１４、図１）
【発明の開示】
【発明が解決しようとする課題】
【０００３】
しかしながら、上述した特開平６−２３４４９３号公報に記載された乗客コンベアの移動手摺用清掃装置では、移動手摺の走行速度Ｖを低下させると、図９に示すように、移動手摺の表面とこの表面に清掃布を押し付ける押付体との摩擦係数Ｋが増大するために、移動手摺の表面と押付体との間に、スティックスリップが発生してしまい、十分な清掃特性が得られないという問題があった。
【０００４】
本発明は、上述した従来技術における実状からなされたもので、その目的は、移動手摺の走行速度を変化させても、スティックスリップの発生を阻止し得る乗客コンベアの移動手摺用清掃装置を提供することにある。
【課題を解決するための手段】
【０００５】
上記目的を達成するために、本発明は、乗客コンベアの移動手摺の表面に対向させて設けられる清掃布と、乗客コンベアの移動手摺の表面に対して上下動する押付体とを、少なくとも備え、前記移動手摺の走行時に前記押付体を上昇させて前記清掃布を前記移動手摺の表面に押し付けることで、前記移動手摺の表面の清掃を行う乗客コンベアの移動手摺用清掃装置において、前記押付体に、その押付体の前記清掃布への押し付け面における弾性を低下させる弾性低下手段を施してなることを特徴としている。
【０００６】
さらに、本発明は、前記弾性低下手段を、前記清掃布と前記押付体との間に設置されて、かつ、前記押付体よりも弾性が低い材質からなる薄板状とすることで構成したことを特徴としている。
【０００７】
さらに、本発明は、前記弾性低下手段を、前記押付体の清掃布への押し付け面部分の素材密度を高くすることで構成したことを特徴としている。
【０００８】
さらに、本発明は、前記弾性低下手段を、前記押付体を低反撥性素材から形成してその押付体の弾性を低くすることで構成したことを特徴としている。
【発明の効果】
【０００９】
本発明によれば、移動手摺の走行速度を低速に変化させても、弾性低下手段によって押付体の清掃布への押し付け面の弾性が小さくなるため、押付体における清掃布への押し付け面の変形が抑制されるので、スティックスリップが発生することを阻止することができる乗客コンベアの移動手摺用清掃装置が得られた。
【発明を実施するための最良の形態】
【００１０】
以下、本発明に係る乗客コンベアの移動手摺用清掃装置の一実施形態を、図面に、基づいて説明する。図１は、本発明の一実施形態に係り、乗客コンベアの移動手摺用清掃装置の概略構成図である。図２は、図１のＡ−Ａ断面図である。図３は、本発明の一実施形態に係り、乗客コンベアの移動手摺用清掃装置の要部拡大図である。図４は、図３のＢ−Ｂ拡大断面図である。図５は、本発明の他実施形態その１に係り、乗客コンベアの移動手摺用清掃装置の要部拡大図である。図６は、図５のＣ−Ｃ拡大断面図である。図７は、本発明の他実施形態その２に係り、乗客コンベアの移動手摺用清掃装置の要部拡大図である。図８は、図７のＤ−Ｄ拡大断面図である。図９は、従来の乗客コンベアの移動手摺用清掃装置における押付体と移動手摺との間の摩擦係数と移動手摺の走行速度との関係を示す特性曲線図である。
【００１１】
図１及び図２に示す一実施形態の移動手摺用清掃装置１は、可変速式の乗客コンベアにおける移動手摺２の表面に対向させて設けられるシート状の清掃布３と、乗客コンベアの移動手摺２の表面に対して上下動する押付体４と、この押付体４を上下動させる昇降手段５と、清掃布３の未使用のロール状部分３Ａを清掃液Ｗに含浸させるための清掃液容器６と、清掃布３の使用部分３Ｂを巻き取る巻取手段（清掃布更新手段）７を備えている。乗客コンベアの移動手摺２は、図１において、矢印Ｐ方向に走行するようにしてあり、しかも、その移動手摺２の走行速度Ｖを、５ｍ／ｍｉｎ〜４５ｍ／ｍｉｎの範囲で、変化することが可能であるようにしてある。移動手摺２は、ウレタン製のものが用いられている。押付体４は、可撓性のあるゴム質素材から構成される。
【００１２】
押付体４の外周全面は、図３及び図４に示すように、保護布８で覆われている。押付体４の上面側を覆った保護布８部分には、押付体４の清掃布３への押し付け面（当接面）４Ａにおける弾性を低下させる弾性低下手段９が貼着されている。弾性低下手段９は、図１に示すように、清掃布３と押付体３との間に設置され、かつ、ゴム質素材からなる押付体４よりも弾性が小さい薄板状の、例えば、プラスチック板から構成するようにしてある。弾性低下手段９を構成するプラスチック板の厚さは、０．２ｍｍ〜０．７ｍｍの範囲とすることが好ましい。
【００１３】
次に、図１及び図２に示す移動手摺用清掃装置１により、移動手摺２の表面を清掃する場合には、昇降手段５により押付体４を上昇させてその押付体４の上面で清掃布３を押し上げることにより、その清掃布３を走行する移動手摺２の表面に押し付ける。これにより、移動手摺２の表面の汚れが、清掃布３に拭き取られるので、移動手摺２の表面の清掃が円滑に行われる。
【００１４】
次に、移動手摺２の表面の汚れを拭き取ることで、清掃布３の汚れてしまった部分を移動させる場合には、昇降手段５により押付体４を下降させることで、走行する移動手摺２の表面から清掃布３を離した状態にした後、巻取手段７を作動させて、その巻取手段７に、清掃布３を所定長さ分、巻き取ればよい。
【００１５】
上記構成の移動手摺用清掃装置１によれば、移動手摺２の走行速度Ｖを低下させることで、移動手摺２と押付体４との間の摩擦係数Ｋが増大しても、押付体４の清掃布３への当接面における弾性が弾性低下手段９によって低下させられているため、その当接面の変形が抑えられるので、スティックスリップの発生が阻止される。そして、スティックスリップの発生が阻止されることで、清掃布３の移動手摺２への追従性が確保されるので、移動手摺２の走行速度Ｖが低速の場合であっても、上記構成の移動手摺用清掃装置１により、移動手摺２の清掃を十分に行うことができる。
【００１６】
図５及び図６は、本発明の他実施形態その１に係る移動手摺用清掃装置１０を示している。他実施形態その１に係る移動手摺用清掃装置１０は、図６に示すように、押付体１１の外周全面を保護布１２で覆うとともに、その保護布１２における押付体１１の上面上方に位置する部分に、押付体１１よりも弾性が小さい薄板状のプラスチック板からなる弾性低下手段１３を埋設するように構成したものであって、その他の点は、一実施形態の移動手摺用清掃装置１と同じ構成にしてある。他実施形態その１に係る移動手摺用清掃装置１０であっても、一実施形態の移動手摺用清掃装置１と同様の効果が得られる。
【００１７】
図７及び図８は、本発明の他実施形態その２に係る移動手摺用清掃装置２０を示している。他実施形態その２に係る移動手摺用清掃装置２０は、図８に示すように、押付体２１の外周全面を保護布２２で覆うとともに、押付体２１の清掃布３への押し付け面部分の素材密度を高くすることで弾性低下手段２３を構成したものであって、その他の点は、一実施形態の移動手摺用清掃装置１と同じ構成にしてある。他実施形態その２に係る移動手摺用清掃装置２０であっても、一実施形態の移動手摺用清掃装置１と同様の効果が得られる。また、押付体３を低反撥性素材から形成してその押付体３の弾性を低くすることで、弾性低下手段９が構成されるようにしても、一実施形態の移動手摺用清掃装置１と同様の効果が得られることが確認できた。
【００１８】
上記実施形態の移動手摺２は、エレベーター用だけでなく、動く歩道用であってもよい。
【図面の簡単な説明】
【００１９】
【図１】本発明の一実施形態に係り、乗客コンベアの移動手摺用清掃装置の概略構成図である。
【図２】図１のＡ−Ａ断面図である。
【図３】本発明の一実施形態に係り、乗客コンベアの移動手摺用清掃装置の要部拡大図である。
【図４】図３のＢ−Ｂ拡大断面図である。
【図５】本発明の他実施形態その１に係り、乗客コンベアの移動手摺用清掃装置の要部拡大図である。
【図６】図５のＣ−Ｃ拡大断面図である。
【図７】本発明の他実施形態その２に係り、乗客コンベアの移動手摺用清掃装置の要部拡大図である。
【図８】図７のＤ−Ｄ拡大断面図である。
【図９】従来の乗客コンベアの移動手摺用清掃装置における押付体と移動手摺との間の摩擦係数と移動手摺の走行速度との関係を示す特性曲線図である。
【符号の説明】
【００２０】
１、１０、２０  移動手摺用清掃装置
２    移動手摺
３    清掃布
３Ａ  清掃布の未使用のロール状部分
３Ｂ  清掃布の使用部分
４、１１、２１  押付体
５    昇降手段
６    清掃液容器
７    巻取手段
８、１２、２２  保護布
９、１３、２３  弾性低下手段
【図１】
2007297162.tif 000003
【図２】
2007297162.tif 000004
【図３】
2007297162.tif 000005
【図４】
2007297162.tif 000006
【図５】
2007297162.tif 000007
【図６】
2007297162.tif 000008
【図７】
2007297162.tif 000009
【図８】
2007297162.tif 000010
【図９】
2007297162.tif 000011